(57)【要約】【課題】省エネとミスト噴霧量を給湯負荷の影響の少ないサウナ空間の提供を目的とする。【解決手段】送風用の循環ファン５と、ヒートポンプを搭載した冷媒回路１３と、ミストを噴射する第１ミスト噴射手段１５と、給水温センサー１６と、給水管から分岐した第２ミスト噴射手段１７と、前記第２ミスト噴射手段１７への給水加熱するために前記冷媒回路１３の冷媒がバイパイスするように接続した水加熱用熱交換器１８と、前記水加熱用熱交換器１８への冷媒を開閉するミスト用電磁弁１９と、制御装置２０ａを備え、給水温度が低い場合、前記水加熱用熱交換器１８に冷媒を流して給水加熱してサウナ運転をする。【選択図】図１
2010236767.tif 000002
【特許請求の範囲】
【請求項１】
浴室に開口した吸込口から空気を吸い込んで浴室に開口した吹出口から空気を吹き出すための循環ファンと、冷媒を圧縮する圧縮機から順番に前記循環ファンにより送風される空気を暖めるために冷媒を熱交換させる第１熱交換器、冷媒を膨張させる膨張機構、前記吸込口から浴室の空気や他室の空気を吸い込んで排気ダクトより屋外に排気する換気ファンにより送風される空気と冷媒を熱交換させる第２熱交換器へ冷媒を循環させるように配管接続した冷媒回路と、サウナ運転時に給水管から浴室へミストを噴射する第１ミスト噴射手段と、給水温度を検知する給水温センサーと、前記第１ミスト噴射手段と給水管から分岐した第２ミスト噴射手段と、前記第２ミスト噴射手段への給水を加熱するために前記冷媒回路の第１熱交換器を冷媒がバイパイスするように冷媒配管を接続した水加熱用熱交換器と、前記水加熱用熱交換器への冷媒を開閉するミスト用電磁弁と、前記循環ファン、冷媒回路および第１ミスト噴射手段、水加熱用熱交換器、第２ミスト噴射手段を制御する制御装置とを備え、前記制御装置は前記給水温センサーの温度により、前記水加熱用熱交換器や前記第１および第２ミスト噴射手段を制御してサウナ運転を行う構成としたミスト機能付き換気空調装置。
【請求項２】
前記第１熱交換器と前記水加熱用熱交換器を一体化した空調水加熱用熱交換器を設け、給水管から浴室へミストを噴射する第２ミスト噴射手段の加熱を冷媒の開閉でおこなう構成とした請求項１記載のミスト機能付き換気空調装置。
【請求項３】
給水管から浴室へミストを噴射する前記第１ミスト噴射手段を兼ねるミスト噴霧構造として、前記水加熱用熱交換器を通る第２ミスト噴射手段のみの構成とした請求項１または２に記載のミスト機能付き換気空調装置。
【請求項４】
浴室へ噴霧されるミストの粒子形状が異なるように前記第１ミスト噴射手段と前記第２ミスト噴射手段をそれぞれ専用の粒子形状のミスト噴霧ができる構成とした請求項１または２に記載のミスト機能付き換気空調装置。
【請求項５】
前記第１熱交換器への冷媒を開閉する空調用電磁弁を設け、前記水加熱用熱交換器だけに冷媒を流して、前記第２ミスト噴射手段からのミスト噴射する給水温度を優先して加熱させる構成とした請求項１、２、３または４に記載のミスト機能付き換気空調装置。
【請求項６】
前記第１熱交換器への冷媒を開閉する前記空調用電磁弁として開閉量により冷媒量の調整できる空調用電動膨張弁を設け、暖房送風と給水加熱の双方の温度調整ができる構成とした請求項１、２、３、４または５に記載のミスト機能付き換気空調装置。
【請求項７】
前記冷媒回路における圧縮機をさらなる省エネのために、能力の可変速できるインバータ圧縮機を設け、冬季等の低温時や運転開始時の暖房能力を最大限にしたり、温度が安定した時や空調負荷が軽い場合に消費電力の低減やきめ細かい温度制御ができる構成とした請求項１、２、４、５または６に記載のミスト機能付き換気空調装置。
【請求項８】
前記浴室に開口した吸込口から吸い込んだ空気の湿度を検知できる湿度センサーを設け、浴室のミスト状態により前記第１または第２ミスト噴射手段のミスト噴射を調整する構成とした請求項１、２，３，４，５，６または７に記載のミスト機能付き換気空調装置。
【発明の詳細な説明】
【技術分野】
【０００１】
本発明は、浴室内をサウナ室として利用できるための浴室内に微細水滴を噴霧するミスト発生装置を備え、ヒートポンプを利用して浴室などの換気空調を行うミスト機能付き換気空調装置に関する。
【背景技術】
【０００２】
従来のヒートポンプを利用した浴室などの換気空調装置としては、浴室以外から取り入れられた空気に対してヒートポンプの一方の熱交換器が放熱（または吸熱）を行い、その空気を浴室内に吹き出すとともに、ヒートポンプの他方の熱交換器が浴室から屋外に排出される空気に対して吸熱（または放熱）することで浴室を空調するものがある（例えば、特許文献１参照）。
【０００３】
また、近年は家庭内の浴室にミスト発生装置を設け、浴室内をサウナ室として利用できるものが提案されている。
【０００４】
この種のミスト発生装置には給湯器から温水の給水により、ミスト発生装置から浴室内に噴霧するものが知られている（例えば特許文献２参照）。    
【０００５】
そして、家庭内の浴室におけるミスト発生装置には二種類の方法が考えられる。
【０００６】
一つ目の方式は、ミスト発生装置の噴霧される粒子形状が比較的大きい、具体的には１００〜３００μｍ程度の粒子形状が望ましく、入浴した使用者に直接噴霧して、サウナと同様の効果を得ることができるシャワータイプがある。このシャワータイプは、裸の人体に直接噴霧されるため、浴室の温度やミスト噴霧するための給水温度は短時間で体温より高い必要がある。
【０００７】
２つ目の方式は、ミスト発生装置の噴霧される粒子形状が比較的小さい、具体的には０．３μｍ以下の粒子形状が望ましく、入浴中にミスト噴霧が使用者に直接かからず、長時間の読書や音楽鑑賞により発汗作用を促すことができる微細水滴タイプがある。この微細水滴タイプは、長時間浴室でくつろぐため、浴室の温度は体温同等以下が望ましい。また、ミスト噴霧するための給水温度は浴室の温度と粒子形状により異なるが、シャワータイプに比べて低い温度でも十分な効果がある。
【特許文献１】特開２００５−１８０７１２号公報
【特許文献２】特開２００６−３０４８７１号公報
【発明の開示】
【発明が解決しようとする課題】
【０００８】
以上のように省エネのためにヒートポンプを利用した浴室の換気空調装置は、様々な形態のものが提案されている。
【０００９】
そして特許文献２に例示されるミスト発生装置では、給湯器から給水される温水が、他で給湯を使用した場合に、給水温度が不安定になりやすく、特に冬季は給湯器からの配管距離や周囲温度の影響により、給水温度が低くなり最適なミストの発生や浴室をサウナ空間にするまでの時間がかかるという課題があった。
【００１０】
また、給湯器からの温水を所定温度まで加熱する再加熱手段としては電気ヒータ方式や給湯器との循環温水を利用する方式等があるが、電気ヒータ方式での電気代が高くかかることや給湯器との循環温水用の専用配管等の施工が必要という課題があった。
【００１１】
本発明は上記従来の課題を解決するものであり、暖房運転やサウナ運転での省エネの向上と、ミスト噴霧量を給湯負荷の影響の少ない、安定したサウナ空間ができるミスト機能付き換気空調装置を提供することを目的としている。
【課題を解決するための手段】
【００１２】
上記した目的を達成するために、本発明のミスト機能付き換気空調装置は、浴室に開口した吸込口から空気を吸い込んで浴室に開口した吹出口から空気を吹き出すための循環ファンと、冷媒を圧縮する圧縮機から順番に前記循環ファンにより送風される空気を暖めるために冷媒を熱交換させる第１熱交換器、冷媒を膨張させる膨張機構、前記吸込口から浴室の空気や他室の空気を吸い込んで排気ダクトより屋外に排気する換気ファンにより送風される空気と冷媒を熱交換させる第２熱交換器へ冷媒を循環させるように配管接続した冷媒回路と、サウナ運転時に給水管から浴室へミストを噴射する第１ミスト噴射手段と、給水温度を検知する給水温センサーと、前記第１ミスト噴射手段と給水管から分岐した第２ミスト噴射手段と、前記第２ミスト噴射手段への給水を加熱するために前記冷媒回路の第１熱交換器を冷媒がバイパイスするように冷媒配管を接続した水加熱用熱交換器と、前記水加熱用熱交換器への冷媒を開閉するミスト用電磁弁と、前記循環ファン、冷媒回路および第１ミスト噴射手段、水加熱用熱交換器、第２ミスト噴射手段を制御する制御装置とを備えたものである。
【００１３】
これにより、前記制御装置は暖房運転やサウナ運転での省エネの向上と、給水加熱によるミスト噴霧量を、給湯負荷の変動影響の少ない、安定したサウナ運転をさせることができる。
【００１４】
また、給湯器からの温水を所定温度まで加熱する再加熱手段としては、電気ヒータ方式の場合に比べて、電気代の節約になり、給湯器との循環温水を利用する方式の場合に比べれば、給湯器との循環温水用の専用配管等の施工が不用にできるミスト機能付き換気空調装置が得られる。
【発明の効果】
【００１５】
本発明によれば、ヒートポンプを利用した暖房運転やサウナ運転での省エネの向上と、給湯負荷の影響の少ない安定したサウナ空間を実現させる効果のあるミスト機能付き換気空調装置を提供できる。
【発明を実施するための最良の形態】
【００１６】
本発明の請求項１記載のミスト機能付き換気空調装置は、浴室に開口した吸込口から空気を吸い込んで浴室に開口した吹出口から空気を吹き出すための循環ファンと、冷媒を圧縮する圧縮機から順番に前記循環ファンにより送風される空気を暖めるために冷媒を熱交換させる第１熱交換器、冷媒を膨張させる膨張機構、前記吸込口から浴室の空気や他室の空気を吸い込んで排気ダクトより屋外に排気する換気ファンにより送風される空気と冷媒を熱交換させる第２熱交換器へ冷媒を循環させるように配管接続した冷媒回路と、サウナ運転時に給水管から浴室へミストを噴射する第１ミスト噴射手段と、給水温度を検知する給水温センサーと、前記第１ミスト噴射手段と給水管から分岐した第２ミスト噴射手段と、前記第２ミスト噴射手段への給水を加熱するために前記冷媒回路の第１熱交換器を冷媒がバイパイスするように冷媒配管を接続した水加熱用熱交換器と、前記水加熱用熱交換器への冷媒を開閉するミスト用電磁弁と、前記循環ファン、冷媒回路および第１ミスト噴射手段、水加熱用熱交換器、第２ミスト噴射手段を制御する制御装置とを備え、前記制御装置は前記給水温センサーの温度により、前記水加熱用熱交換器や前記第１および第２ミスト噴射手段を制御する構成としたものであり、最適なサウナ運転を行うという作用を有する。
【００１７】
また、本発明の請求項２記載のミスト機能付き換気空調装置は、前記第１熱交換器と前記水加熱用熱交換器を一体化した空調水加熱用熱交換器を設けた構成としたものであり、浴室を暖めるための冷媒の余熱により給水管を事前に暖め、給水管から浴室へミストを噴射する第２ミスト噴射手段の加熱を早めるという作用を有する。
【００１８】
また、本発明の請求項３記載のミスト機能付き換気空調装置は、給水管から浴室へミストを噴射する前記第１ミスト噴射手段を兼ねるミスト噴霧構造として、前記水加熱用熱交換器を通る第２ミスト噴射手段のみの構成としたものであり、本体内の構造の簡素化ができるという作用を有する。
【００１９】
また、本発明の請求項４記載のミスト機能付き換気空調装置は、浴室へ噴霧されるミストの粒子形状が異なるように前記第１ミスト噴射手段と前記第２ミスト噴射手段をそれぞれ専用の粒子形状のミスト噴霧ができる構成としたものであり、使用者の好みによりミスト噴霧の粒子形状を最適に変えることができるという作用を有する。
【００２０】
また、本発明の請求項５記載のミスト機能付き換気空調装置は、前記第１熱交換器への冷媒を開閉する空調用電磁弁を設け、前記水加熱用熱交換器だけに冷媒を流す構成としたものであり、前記第２ミスト噴射手段からのミスト噴射する給水温度を優先して加熱させるという作用を有する。
【００２１】
また、本発明の請求項６記載のミスト機能付き換気空調装置は、前記第１熱交換器への冷媒を開閉する前記空調用電磁弁を開閉量により冷媒量の調整できる空調用電動膨張弁を設けた構成としたものであり、暖房送風と給水加熱の双方の温度調整ができるという作用を有する。
【００２２】
また、本発明の請求項７記載のミスト機能付き換気空調装置は、  前記冷媒回路における圧縮機をさらなる省エネのために、能力の可変速できるインバータ圧縮機を設けた構成としたものであり、冬季等の低温時や運転開始時の暖房能力を最大限にしたり、温度が安定した時や空調負荷が軽い場合に消費電力の低減やきめ細かい温度制御ができるという作用を有する。
【００２３】
また、本発明の請求項８記載のミスト機能付き換気空調装置は、前記浴室に開口した吸込口から吸い込んだ空気の湿度を検知できる湿度センサーを設けた構成としたものであり、浴室のミスト状態により前記第１または第２ミスト噴射手段のミスト噴射を調整することができるという作用を有する。
【００２４】
以下、本発明の実施の形態について、図面を参照しながら説明する。
【００２５】
（実施の形態１）
本発明の実施の形態１について図１を参照しながら説明する。
【００２６】
図１は、本実施形態にかかるミスト機能付き換気空調装置の風路構成、冷媒回路、給水管からのミスト噴霧を示す図で、上方が天井、下方が浴室等である。
【００２７】
図１において、天井１に設置されたミスト機能付き換気空調装置は、その本体２に、浴室へ開口した空気を吸い込む吸込口３と、浴室へ空気を吹出す吹出口４と、前記吸込口３から吸い込んだ空気を前記吹出口４から吹出す循環ファン５と、他室の空気を吸い込む他室吸気口９と、前記吸込口３から吸い込んだ空気と他室吸気口９から吸い込んだ空気を排気ダクト１０より屋外へ排気する換気ファン１１とを備えている。
【００２８】
また、この本体２には、前記循環ファン５により送風される空気と冷媒の熱を交換させる第１熱交換器７と、冷媒を膨張させる膨張機構８と、前記換気ファン１１により送風される空気と冷媒の熱を交換させる第２熱交換器１２と、前記第１熱交換器７と第２熱交換器１２と膨張機構８との間で冷媒を循環させる配管を構成した冷媒回路１３とを備えている。
【００２９】
また、本体２には、サウナ運転時に浴室内へミストを噴霧する第１ミスト噴射手段１５と、第２ミスト噴射手段１７とを備えている。第１ミスト噴射手段１５は、給湯器（図示せず）からの給水管１４に直接接続されている。また、第２ミスト噴射手段１７は、前記給水管１４から分岐して水加熱用熱交換器１８によって加熱される給水管１４ａを経由して接続されている。そして、前記水加熱用熱交換器１８には、冷媒の開閉をするミスト用電磁弁１９を直列に接続して、これらで第１熱交換器７の入り口と出口間をバイパスさせて冷媒回路１３に接続されている。
【００３０】
また、前記給水管１４には、給水温度を検知する給水温センサー１６を設けている。
【００３１】
さらに、本体２には、前記循環ファン５、冷媒回路１３および第１ミスト噴射手段１５、水加熱用熱交換器１８、第２ミスト噴射手段１７を制御する制御装置２０ａとが設けられている。
【００３２】
上記構成において、前記制御装置２０ａはサウナ運転の開始に伴い、前記ミスト用電磁弁１９を閉じて前記冷媒回路１３と循環ファン５により、浴室の温度を所定の温度まで暖める。
【００３３】
その後、浴室内の温度と前記給水温センサー１６の温度とにより、給水温度が所定温度以上の場合は前記第１ミスト噴射手段１５により浴室にミスト噴霧する。そして、給水温度が所定温度以下の場合には前記第１ミスト噴射手段１５からミスト噴霧は行わず、前記ミスト用電磁弁１９を開け、前記水加熱用熱交換器１８に冷媒を流すことで前記第２ミスト噴射手段１７への給水を加熱し、この加熱された給水により第２ミスト噴射手段１７から浴室にミスト噴霧することができる。そして、冬季の立ち上がりや給湯負荷の変動影響の少ないサウナ空間を実現する。
【００３４】
特に、ミスト機能付き換気空調装置へ配水を行なっている給湯器は、一般に家庭内の浴室、洗面所、台所への給湯への配水も行なっており、ミスト機能付き換気空調装置の運転を行っているときに、例えば台所で湯を使うと、給湯器の負荷が変動して、配水温度が不安定になることがある。このようなときに、本実施の形態では、給水温センサー１６により給水管１４の温度を検出しているので、これを検知して、第１ミスト噴射手段１５から第２ミスト噴射手段１７へミストの噴霧を切り替えることで、水加熱用熱交換器１８による加熱が可能となり安定した温度のミストを噴霧することができる。
【００３５】
以上のようにして、給湯負荷の影響の少ない安定したサウナ空間を実現させることができる。
【００３６】
（実施の形態２）
本発明の実施の形態２について図２を参照しながら説明する。理解を容易にするために、実施の形態１と同一部分は同一番号を附し詳細な説明を簡略化する。
【００３７】
本実施の形態は、前記第１熱交換器７と前記水加熱用熱交換器１８を一体化した空調水加熱用熱交換器２１を設けられている。
【００３８】
この前記空調水加熱用熱交換器２１は空気を暖めるための冷媒の余熱により給水温度が下がりにくいように空調用冷媒の上側に、浴室へミストを噴射する前記第２ミスト噴射手段１７用の給水を加熱する給水用冷媒が設けられている。
【００３９】
上記構成において、前記制御装置２０ｂはサウナ運転の開始に伴い、前記ミスト用電磁弁１９を閉じて前記冷媒回路１３と循環ファン５により、浴室の温度を所定の温度まで暖める。
【００４０】
その後、浴室内の温度と前記給水温センサー１６の温度とにより、給水温度が所定温度以上の場合は前記第１ミスト噴射手段１５により浴室にミスト噴霧する。そして、給水温度が所定温度以下の場合には前記第１ミスト噴射手段１５からミスト噴霧は行わず、前記ミスト用電磁弁１９を開け、前記水加熱用熱交換器１８に冷媒を流すことで前記第２ミスト噴射手段１７への給水を加熱し、この加熱された給水により第２ミスト噴射手段１７から浴室にミスト噴霧する。
【００４１】
このように、特に冬季の立ち上がり時に暖房運転中に給水管を余熱することで、ミスト噴霧を早めることができる。
【００４２】
（実施の形態３）
本発明の実施の形態３について図１を参照しながら説明する。理解を容易にするために、実施の形態１と同一部分は同一番号を附し詳細な説明を簡略化する。
【００４３】
本実施の形態は、給水管１４から浴室へミストを噴射する前記第１ミスト噴射手段１５を兼ねるミスト噴霧構造として、前記水加熱用熱交換器１８を通る第２ミスト噴射手段１７のみの構成とする。
【００４４】
上記構成において、前記制御装置２０ｃはサウナ運転の開始に伴い、前記ミスト用電磁弁１９を閉じて前記冷媒回路１３と循環ファン５により、浴室の温度を所定の温度まで暖める。
【００４５】
その後、浴室内の温度と前記給水温センサー１６の温度とにより、給水温度が所定温度以上の場合は前記ミスト用電磁弁１９を閉じた状態で、第２ミスト噴射手段１７より浴室にミスト噴霧する。そして、給水温度が所定温度以下の場合には前記ミスト用電磁弁１９を開け、前記水加熱用熱交換器１８に冷媒を流すことで前記第２ミスト噴射手段１７への給水を加熱し、この加熱された給水により第２ミスト噴射手段１７から浴室にミスト噴霧して、浴室をサウナ空間にする。このように、一つのミスト噴射手段をによりミスト噴霧するため、本体内の構造の簡素化により、軽量化とコストダウンの実現ができる。
【００４６】
（実施の形態４）
本発明の実施の形態４について図１を参照しながら説明する。理解を容易にするために、実施の形態１と同一部分は同一番号を附し詳細な説明を簡略化する。
【００４７】
浴室へ噴霧されるミストの粒子形状が異なるように前記第１ミスト噴射手段１５と前記第２ミスト噴射手段１７をそれぞれ専用の粒子形状のミスト噴霧ができる構成とする。
【００４８】
具体的には、前記第１ミスト噴射手段１５は比較的給水温度が低くても良い微細水滴タイプのミスト噴霧を噴射できるようにして、前記第２ミスト噴射手段１７には、使用者に直接噴霧する高温のシャワータイプが噴霧できるようにする。
【００４９】
上記構成において、前記制御装置２０ｄはサウナ運転の開始に伴い、前記ミスト用電磁弁１９を閉じて前記冷媒回路１３と循環ファン５により、浴室の温度を所定の温度まで暖める。
【００５０】
その後、使用者が微細水滴タイプを望む場合は前記ミスト用電磁弁１９を閉じた状態で、前記第１ミスト噴射手段１５より浴室にミスト噴霧する。そして、使用者がシャワータイプを望む場合は前記ミスト用電磁弁１９を開け、前記水加熱用熱交換器１８に冷媒を流すことで前記第２ミスト噴射手段１７への給水を加熱し、この加熱された給水により第２ミスト噴射手段１７から浴室にミスト噴霧して、浴室をサウナ空間にする。
【００５１】
このように使用者の好みにより、ミスト噴霧の粒子形状を変えることで最適な浴室のサウナ空間ができる。
【００５２】
（実施の形態５）
本発明の実施の形態５について図１を参照しながら説明する。理解を容易にするために、実施の形態１と同一部分は同一番号を附し詳細な説明を簡略化する。
【００５３】
前記第１熱交換器７への冷媒を開閉する空調用電磁弁２２を設ける。
【００５４】
上記構成において、前記制御装置２０ｅはサウナ運転の開始に伴い、前記ミスト用電磁弁１９を閉じて前記冷媒回路１３と循環ファン５により、浴室の温度を所定の温度まで暖める。
【００５５】
その後、浴室内の温度が所定の温度に達し、前記給水温センサー１６の温度により、給水温度が所定温度以上の場合は前記第１ミスト噴射手段１５により浴室にミスト噴霧する。そして、給水温度が所定温度以下の場合には前記第１ミスト噴射手段１５からミスト噴霧は行わず、前記ミスト用電磁弁１９を開け、さらに前記空調用電磁弁２２を閉じることで、前記水加熱用熱交換器１８にのみ冷媒を流すことで前記第２ミスト噴射手段１７への給水加熱を早め、この加熱された給水により第２ミスト噴射手段１７から浴室にミスト噴霧して、浴室をサウナ空間にする。
【００５６】
（実施の形態６）
本発明の実施の形態６について図１を参照しながら説明する。理解を容易にするために、実施の形態１と同一部分は同一番号を附し詳細な説明を簡略化する。
【００５７】
前記第１熱交換器７への冷媒を開閉する前記空調用電磁弁２２として開閉量により冷媒量の調整できる空調用電動膨張弁２３を設ける。
【００５８】
上記構成において、前記制御装置２０ｆはサウナ運転の開始に伴い、前記ミスト用電磁弁１９を閉じて前記冷媒回路１３と循環ファン５により、浴室の温度を所定の温度まで暖める。
【００５９】
その後、浴室内の温度が所定の温度に達し、前記給水温センサー１６の温度により、給水温度が所定温度以上の場合は前記第１ミスト噴射手段１５により浴室にミスト噴霧する。そして、給水温度が所定温度以下の場合には前記第１ミスト噴射手段１５からミスト噴霧は行わず、前記ミスト用電磁弁１９を開け、空調用の温度と給水温度の双方を比較して、前記第１熱交換器７と前記水加熱用熱交換器１８の双方の冷媒量を前記空調用電動膨張弁２３の開度で調整して、前記第２ミスト噴射手段１７への給水加熱をして、この加熱された給水により第２ミスト噴射手段１７から浴室にミスト噴霧する。
【００６０】
これにより、浴室の急な負荷変動、例えば扉の開け閉め等が起こっても、第１熱交換器７側への冷媒の供給は遮断させることなく行っているので、暖房送風と給水加熱の双方の温度調整をすばやく対応することができる。
【００６１】
（実施の形態７）
本発明の実施の形態７について図１を参照しながら説明する。理解を容易にするために、実施の形態１と同一部分は同一番号を附し詳細な説明を簡略化する。
【００６２】
前記冷媒回路１３における圧縮機６をさらなる省エネのために、能力の可変速できるインバータ圧縮機２４を設ける。
【００６３】
上記構成において、前記制御装置２０ｇはサウナ運転の開始に伴い、前記ミスト用電磁弁１９を閉じて前記冷媒回路１３と循環ファン５により、浴室の温度を所定の温度まで暖める。
【００６４】
この時、冬季等の低温時や運転開始時には暖房能力を最大限にするため、前記インバータ圧縮機２４を最大能力で運転させたり、温度が安定した時や空調負荷が軽い場合に消費電力の低減のため前記インバータ圧縮機２４の能力を段階的に抑えることにより、温度のハンチング等の少ない、きめ細かい温度制御ができる。
【００６５】
（実施の形態８）
本発明の実施の形態８について図１を参照しながら説明する。理解を容易にするために、実施の形態１と同一部分は同一番号を附し詳細な説明を簡略化する。
【００６６】
前記浴室に開口した吸込口３から吸い込んだ空気の湿度を検知できる湿度センサー２５を設ける。
【００６７】
上記構成において、前記制御装置２０ｈはサウナ運転において、浴室の温度と湿度状態により、前記第１ミスト噴射手段１５と第２ミスト噴射手段１７のミスト噴射の一方または両方のミスト噴霧をおこうなうことで、特に冬季の低湿度状態の浴室を短時間でミスト空間にすることができる。
【産業上の利用可能性】
【００６８】
以上のように本発明にかかるミスト機能付き換気空調装置は、厳寒の北海道の地区では冬の暖房時には必ず加湿をする必要があることから、暖房装置と加湿装置を一体に設けた空気調和装置の用途にも適用することができる。
【図面の簡単な説明】
【００６９】
【図１】本発明の実施の形態１に係るミスト機能付き換気空調装置の構成を示す図
【図２】本発明の実施の形態２に係るミスト機能付き換気空調装置の構成を示す図
【符号の説明】
【００７０】
２      本体
３      吸込口
４      吹出口
５      循環ファン
６      圧縮機
７      第１熱交換器
８      膨張機構
９      他室吸気口
１０    排気ダクト
１１    換気ファン
１２    第２熱交換器
１３    冷媒回路
１４    給水管
１４ａ  給水管
１５    第１ミスト噴射手段
１６    給水温センサー
１７    第２ミスト噴射手段
１８    水加熱用熱交換器
１９    ミスト用電磁弁
２０ａ〜２０ｈ  制御装置
２１    空調水加熱用熱交換器
２２    空調用電磁弁
２３    空調用電動膨張弁
２４    インバータ圧縮機
２５    湿度センサー
【図１】
2010236767.tif 000003
【図２】
2010236767.tif 000004